(57)【要約】      （修正有）【課題】餌入れ容器内の餌の品質維持を図るため、雨水や高温など天候の影響を受け難くした釣り用の餌カバーを提供する。【解決手段】ベース部１と、このベース部の上方のドーム形のカバー本体２と、カバー本体内の収納空間３と、この収納空間の前側及び後側の各開口部４，５とを備え、ベース部１は第１のベースフレーム１１と、第１のベースフレームの背面側に張り出してあってかつ両端部を第１のベースフレームに接続してあるアーチ状の第２のベースフレーム１２とからなる。又、カバー本体２は、複数のアーチ状のサポートフレーム２１と、サポートフレーム２１を被覆しているカバーシート２２と、位置保持フレーム６とからなり、収納空間３は餌入れ容器を収納可能な広さを備え、前側開口部４は上記餌入れ容器の出し入れ口とする。【選択図】図１
0003164365.tif 000002
【実用新案登録請求の範囲】
【請求項１】
ベース部、カバー本体と、このカバー本体内に形成してある収納空間と、この収納空間の前後それぞれが開放された前側及び後側の各開口部とを備えており、
上記カバー本体は、奥行方向に配置してある複数のアーチ状のサポートフレームと、これらのサポートフレームを被覆しているカバーシートとからなり、
上記各サポートフレームはその両端部を上記ベース部に支持し、かつ上記収納空間の天井部の骨組を形成しており、
上記収納空間は餌入れ容器を収納可能な広さを備えており、
上記前側開口部は上記餌入れ容器の出し入れ口となっている
ことを特徴とする釣り用の餌カバー。
【請求項２】
ベース部は、両端部に取付け部を設けている第１のベースフレームと、この第１のベースフレームの背面側に張り出してあってかつ両端部を両取付け部に接続してあるアーチ状の第２のベースフレームとからなり、
上記各サポートフレームは、各両端部を上記各取付け部に回転可能に支持してあり、
上記第１のベースフレームと、上記各サポートフレームのうちの最前部に位置している最前部サポートフレームとによって囲まれた空間が前側開口部を形成し、上記第２のベースフレームと、上記各サポートフレームのうちの最後部に位置している最後部サポートフレームとによって囲まれた空間が後側開口部を形成しており、
上記各サポートフレームは、下側からその位置を位置保持フレームによって保持されており、
上記位置保持フレームは、上記第１のベースフレームと第２のベースフレームとの間にかつ上記各ベースフレームに着脱可能に渡してある
ことを特徴とする請求項１記載の釣り用の餌カバー。
【請求項３】
位置保持フレームの両端部にはフックを設けてあり、一端側のフックがカバーシートに設けてある取付け孔を介して最前部に位置している最前部サポートフレームに離脱可能に掛け止められており、他端側のフックが第２のベースフレームに離脱可能に掛け止められていることを特徴とする請求項２記載の釣り用の餌カバー。
【請求項４】
カバーシートは各サポートフレームをそれぞれの両端部側を残して覆っており、奥行方向と交差する幅方向のシート両端部と第１のベースフレームの取付け部との間に側面開口部が開けられていることを特徴とする請求項２又は請求項３記載の釣り用の餌カバー。
【請求項５】
カバーシートは、そのシート前後方向の両端辺部に筒状の保持部を形成してあると共に、前後の各保持部のそれぞれに最前部及び最後部の各サポートフレームが挿入されており、カバーシートの後端辺側の保持部と第２のベースフレームとの間を連結紐で連結してあることを特徴とする請求項２乃至請求項４のいずれかに記載の釣り用の餌カバー。
【考案の詳細な説明】
【技術分野】
【０００１】
この考案は、へら鮒などの魚釣りに際、使用している餌入れ容器を覆うことができる釣り用の餌カバーに関するものである。
【背景技術】
【０００２】
例えば、へら鮒釣りの餌は、洗面用ポリ容器に類似したボール状（鉢状）のプラスチック製容器に入れて使用している例が多い。へら鮒釣りの餌は練り餌が一般的である。この練り餌は、市販されている麩系粉末、乾燥ポテト系、へら鮒釣り用ペレットなどを原料としており、これらの原料を単独で用いたり、又は複数調合して用いるものである。釣り人は、釣りを開始する直前に、餌入れ容器内で上記原料に適宜量の水を加えながら練って、粘りを調整する。そして、釣り人はその指先で調整後の練り餌を団子状に丸めて針先に付けてから、針と共に団子状の餌を水中に投入すると、餌は全体の形状を保ちながら水中で適度にばらける。
ところで、上記餌入れ容器は上方が広く開口されているために、雨天の時は雨水が容器内に入り、練り餌の粘性が弱くなり、反対に晴天で温度が高い時は餌が乾燥して粘性が強くなってしまう。練り餌の粘性が弱くなると、水中での団子状の餌の保形性が悪くなり、粘性が強くなると保形性が維持されるものの、ばらけ難くなり、集魚効果が低下する。このため、釣り人は、天候などの釣り環境に応じて、釣りをしながら、時々又は絶えず最適な粘性を確保するために原料や水分の追加調整をしている。
雨除けや日除けをしないことによって生じる上記課題を解決可能な技術として、実用新案登録第３０６１６６７号公報に記載のへら鮒用ウドン箱及び特開２００６−２８０２７５号公報に記載の釣り用傘（以下「従来例１」及び「従来例２」という。）が提案されている。
従来例１は、内部にまぶし粉を入れる湾曲底部及びウドンを保管する平面底部を設け、上部に二つ折れ蓋を設けたものである。このへら鮒用ウドン箱によれば、蓋を二つ折れとしたことにより、平面底部で保管しているウドンを取り出す時は前蓋だけを開け、湾曲底部のまぶし粉は後蓋で覆われているので、風で飛び散ることがない。
従来例１であるへら鮒用ウドン箱は蓋が設けられているので、この蓋が雨除けや日除けの役割をしている。
従来例２は、傘支持体から放射状に伸びた傘骨上に傘膜を張り、この傘膜に開口部を開けているものである。
従来例２である釣り用傘は、釣り人に対する雨除けや日除けを可能とし、釣りをし易くするためのものであるが、傘の下に餌入れ容器を置いておけば、雨除けや日除けの効果が得られる。
【先行技術文献】
【特許文献】
【０００３】
【特許文献１】実用新案登録第３０６１６６７号公報
【特許文献２】特開２００６−２８０２７５号公報
【考案の概要】
【考案が解決しようとする課題】
【０００４】
従来例１を餌入れ容器として使用する例では、通常へら鮒用の餌が練り餌であるので、これをへら鮒用ウドン箱の平面底部内に入れて使用し、釣っている時、前蓋を開けておく場合、降雨時に雨水が平面底部内に入ってしまい、好天時には高温によって平面部内の練り餌が乾燥し、天候の状況に応じて質の練り餌を確保するのが容易でない。前蓋を閉めておく場合には、天候によっては平面部内の温度が上昇して練り餌が変質する課題がある。また、湾曲底部内に入れてある練り餌は、後蓋が閉められている状態にあるから雨水による質の変化の問題がないものの、外気の温度や湿度によって湾曲底部内の温度が上昇し、練り餌の質の維持が容易ではない課題が生じる。
従来例２において、釣り用傘は釣り人に対する雨除けや日除けを目的としており、間接的に餌入れ容器の餌に対して雨除けや日除けの効果はあるものの、通常使用されているボール状の餌入れ容器は傘膜から離れているので、天候によって餌入れ容器の開口部から雨水が入りやすく、餌が乾燥しやすい。
従来例１及び従来例２にはいずれも天候状況によって餌入れ容器内の餌が影響を受けやすく、餌の品質維持が容易ではなかった。
この考案の目的は、可能な限り雨水や高温などの天候状況に左右されずに、餌入れ容器内の餌の品質維持を図ることにある。
【課題を解決するための手段】
【０００５】
この考案に係る釣り用の餌カバーは、ベース部、カバー本体と、このカバー本体内に形成してある収納空間と、この収納空間の前後それぞれが開放された前側及び後側の各開口部とを備えている。上記カバー本体は、奥行方向に配置してある複数のアーチ状のサポートフレームと、これらのサポートフレームを被覆しているカバーシートとからなり、上記各サポートフレームはその両端部を上記ベース部に支持し、かつ上記収納空間の天井部の骨組を形成しており、上記収納空間は餌入れ容器を収納可能な広さを備えており、上記前側開口部は上記餌入れ容器の出し入れ口となっている。
上記ベース部には、例えば両端部に取付け部を設けている第１のベースフレームと、この第１のベースフレームの背面側に張り出してあってかつ両端部を上記両取付け部に接続してあるアーチ状の第２のベースフレームとを用いることにより、簡単な構成になる。また、扱いをし易くするために、折り畳みを可能にする場合には、上記各サポートフレームの各両端部を上記各取付け部に回転可能に支持する。上記第１のベースフレームと、上記各サポートフレームのうちの最前部に位置している最前部サポートフレームとによって囲まれた空間が前側開口部を形成し、上記第２のベースフレームと、上記各サポートフレームのうちの最後部に位置している最後部サポートフレームとによって囲まれた空間が後側開口部を形成して、上記収納空間内の風通しを良好なものにする。上記各サポートフレームをその下側からその位置を位置保持フレームによって保持して、カバー本体の保形を図る。上記位置保持フレームは、上記第１のベースフレームと第２のベースフレームとの間に渡しかつ上記各ベースフレームに着脱可能に渡すものであれば、組み立て解体が容易となる。
組立をし易くするために、例えば位置保持フレームの両端部にフックを設け、一端側のフックをカバーシートに設けてある取付け孔を介して最前部に位置している最前部サポートフレームに離脱可能に掛け止め可能にし、他端側のフックを第２のベースフレームに離脱可能に掛け止め可能にする。
収納空間内の風通しをより一層を良くするために、例えばカバーシートで、各サポートフレームをそれぞれの両端部側を残して覆い、奥行方向と交差する幅方向のシート両端部と第１のベースフレームの取付け部との間に側面開口部を開ける。
カバーシートと各サポートフレーム及び第２のベースフレームとの連結強化を図るために、例えばカバーシートは、そのシート前後方向の両端辺部に筒状の保持部を形成してあると共に、前後の各保持部のそれぞれに最前部及び最後部の各サポートフレームが挿入されており、カバーシートの後端辺側の保持部と第２のベースフレームとの間を連結紐で連結してある。
【考案の効果】
【０００６】
この考案の釣り用の餌カバーによれば、餌入れ容器が一般的なボール状の容器などのような上端側が開口状態のものであっても、餌入れ容器を収納空間に納めるので、雨除けや日除けが可能になり、天候状況に応じた餌の質的変化を抑制することができる。
この考案の釣り用の餌カバーによれば、前後両側に開口部が開けられており、これらの開口部を通じてカバー本体内を空気が流通し、風通しが良くなるので、高温の好天時に餌入れ容器内の餌が高温や湿気による悪影響を少なくすることができる。
【図面の簡単な説明】
【０００７】
【図１】この考案に係る釣り用の餌カバーを示す斜視図である。
【図２】この考案に係る釣り用の餌カバーを示す正面図である。
【図３】この考案に係る釣り用の餌カバーを示す側面図である。
【図４】この考案に係る釣り用の餌カバーを示す背面図である。
【図５】図２のＶ−Ｖ線断面図である。
【図６】図２における釣り用の餌カバーに使用しているベース部を示す平面図である。
【図７】図２における釣り用の餌カバーに使用している最前部サポートフレームを示す図である。
【図８】図５における釣り用の餌カバーに使用している位置保持フレームを示す側面図である。
【図９】この考案に係る釣り用の餌カバーに使用するベース部の他の形態を示す側面図である。
【考案を実施するための形態】
【０００８】
この考案に係る釣り用の餌カバーについて、図面を参照して説明する。
図１〜図５に示す釣り用の餌カバーＣは、ベース部１、丸屋根を形成しているドーム形のカバー本体２、このカバー本体内に形成してある収納空間３及びこの収納空間の前後それぞれが開放された前側及び後側の各開口部４，５を備えている。釣り用の餌カバーＣは、へら鮒釣りに使用する餌入れ容器７を覆う雨除けや日除けカバーである。
【０００９】
ベース部１は、図１に示すように、第１のベースフレーム１１と、第２のベースフレーム１２とからなる。
第１のベースフレーム１１は、図１及び図６に示すように、両端部に取付け部１１ａを設けている。取付け部１１ａは、図６に示す例では直線状の第１のベースフレーム１１の両端を長円形状に折り曲げられて形成されている。
また、第２のベースフレーム１２は、図１、図６及び図７に示すように、第１のベースフレーム１１の背面側水平状態に張り出され、かつ両端部の環状の連結部１２ａが両取付け部１１ａに回転可能に接続されている。
第１のベースフレーム１１と、アーチ状の第２のベースフレーム１２とは、図６に示すように、平面形状「Ｄ」形に組み合わせられている。
【００１０】
カバー本体２は、図１〜図５に示すように、前後方向である奥行方向（図５左右方向）に配置してある複数のサポートフレーム２１（２１１，２１２，２１３，２１４）と、これらのサポートフレームを上側で被覆しているカバーシート２２とからなる。
サポートフレーム２１は、図３及び図５に示すように、最前部に位置している最前部サポートフレーム２１１と、最後部に位置している最後部サポートフレーム２１４と、両サポートフレーム間に位置している中間サポートフレーム２１２，２１３とから構成されている。
最前部に位置している最前部サポートフレーム２１１は、図７に示すようにアーチ状に形成され、両端部には支持部２１１ａを設けてある。支持部２１１ａは、サポートフレーム２１１の両端を環状に折り曲げられて形成されている。
また、他のサポートフレーム２１２，２１３，２１４についても最前部サポートフレーム２１１と同様の形状に形成され、両端部に形成してある支持部２１２ａ，２１３ａ，２１４ａは、支持部２１１ａと同様に、環状に折り曲げられて形成されている。
各サポートフレーム２１１，２１２，２１３，２１４は、両端部の支持部２１１ａ，２１２ａ，２１３ａ，２１４ａを介して上記第１のベースフレーム１１の取付け部１１ａに回転可能に接続されている。
カバーシート２２は防水性のプラスチック製シート材からなる。図１及び図３に示すようにカバーシート２２の前後両端辺部には、端辺を内側に折り返して、折り返し辺を縫い付けて形成した筒状の保持部２２ａ，２２ｂを設けてある。前保持部２２ａ内には最前部サポートフレーム２１１が、後保持部２２ｂ内には最後部サポートフレーム２１４が、それぞれ挿入されている。このため、サポートフレーム２１とカバーシート２２との接続が図られている。
【００１１】
ベース部１とカバー本体２とは図１及び図５に示すように、ドームを形成し、両者の間に形成されている収納空間３は、餌入れ容器７を収納することができる広さを備えている。収納空間３の前側が前側開口部４であり、後側が後側開口部５である。前側開口部４は餌入れ容器７の出し入れ口となっている。
前後両側の開口部４，５は、収納空間３内の奥行方向（前後方向）に向けて空気の流れを円滑にするものとして機能する。第１のベースフレーム１１と、各サポートフレーム２１のうちの最前部に位置している最前部サポートフレーム２１１とによって囲まれた空間が前側開口部４を形成している。第２のベースフレーム１２と、上記各サポートフレームのうちの最後部に位置している最後部サポートフレーム２１４とによって囲まれた空間が後側開口部５を形成して、上記収納空間内の風通しを良好なものにしている（図１）。
また、図１及び図４に示すように、カバーシート２２の奥行方向と交差する方向である幅方向（図４左右方向）の両端部と第２のベースフレーム１２との間に側面開口部８を開けてある。このため、側面開口部８が空気の流れをより良くしている。
サポートフレーム２１は収納空間３の天井部の骨組を形成している。
カバーシート２２と第２のベースフレーム１２とは、連結紐９によって連結されている（図４）。
【００１２】
図１及び図２に示すように、カバー本体２の下面側であって頂点部の位置に奥行方向（前後方向）にアーチ状に撓ませた位置保持フレーム６を配置してある。各サポートフレーム２１は、下側からその位置を位置保持フレーム６によって保持されている。位置保持フレーム６は、第１のベースフレーム１１と第２のベースフレーム１２との間に渡してある。位置保持フレーム６は、図８に示すように、両端部にフック６ａ，６ｂを形成してある。位置保持フレーム６は、図１、図３及び図５に示すように、一端側（先端側）のフック６ａはカバーシート２２の取付け孔２２ｃを通じて最前部サポートフレーム２１１に掛け止め、他端側（後端側）のフック６ｂは第２のベースフレーム１２に掛け止めている。位置保持フレーム６は、図５に示すように、掛け止められた状態で上側に湾曲させて、サポートフレーム２１に対して上側に向けてそのばね力を付与している。このため、カバー本体２のドーム形が維持されている。
【００１３】
図１に示すように組み立てられた釣り用の餌カバーＣの使用方法について説明する。
釣り時に、前側開口部４から収納空間３内に練り餌を入れた餌入れ容器７を入れる。この際、餌入れ容器７の底部一端を図５鎖線に示すように第１のベースフレーム１１上に載るようにする。こうすることによって、釣り用の餌カバーＣは、餌を入れた餌入れ容器７の重みで、その設置状態が安定し、不用意に移動することがなく、風によって簡単に移動しない。
釣り用の餌カバーＣは餌入れ容器７の上側を覆うことになるから、雨除けや日除けに役立ち、そして前後両側の開口部４，５が収納空間３内の空気の流通を促して、さらに側面開口部８によって上記空気の流れが良くなり、経時的な餌の質の変化を抑制することができる。
釣りを終えた後は、前側開口部４から餌入れ容器７を取り出して、釣り用の餌カバーＣを解体する。
解体は、まず、位置保持フレーム６をフック６ａ，６ｂを介して掛け止めてある最前部サポートフレーム２１１及び第２のベースフレーム１２から外す。すると、カバー本体２は位置保持フレーム６の支持が解除されるから、自動的に各サポートフレーム２１１，２１２，２１３，２１４は、両端部の支持部２１１ａ，２１２ａ，２１３ａ，２１４ａを中心として図５反時計方向に回転し、後方（第２のベースフレーム１２側）に倒れ、これによりカバーシート２２が折り畳められる。
釣り用の餌カバーＣを組み立てる場合、カバーシート２２が折り畳められた位置から、カバーシート２２の前端部側を持って、各サポートフレーム２１１，２１２，２１３，２１４を図５時計方向に回転させ、図３の位置で連結紐９が緊張して、回転を規制する。この段階で、位置保持フレーム６を各サポートフレーム２１１，２１２，２１３，２１４の下側に配置し、フック６ａ，６ｂを第１及び第２のベースフレーム１１，１２に掛け止めれば、図１に示すように釣り用の餌カバーＣが組み立てられる。
【００１４】
図示する釣り用の餌カバーＣにおいて、第１のベースフレーム１１上に餌入れ容器７を載せてこの餌入れ容器の重みにより餌カバーの設置位置を固定することができるので、風を気にすることなく釣りをすることができる。そして、                    前側開口部４及び後側開口部５の他に、側面開口部８を設けてあるので、収納空間３内の風通しがさらに良くなり、空気のよどみを抑制することができるから、熱がこもることによる餌の質の低下を抑えることができる。また、第１のベースフレーム１１の取付け部１１ａには、アーチ状の第２のベースフレーム１２の両端部を、そして各サポートフレーム２１の両端部をそれぞれ回転可能に支持してあるので、不使用時又は収納時にコンパクトに折り畳むことができ、その取扱いや保管が容易である。さらに、連結紐９でカバーシート２２と第２のベースフレーム１２とを連結してあるので、カバー本体２を折り畳み状態から開く際に、その開く角度を規制することができるので、開く操作がしやすい。
【００１５】
釣り用の餌カバーＣの適用範囲は魚の餌カバーである限り、へら鮒の餌カバーに限定されない。ベース部１は第１及び第２のベースフレーム１１,１２によって構成されるものに限定されない。
例えば、図９に示すように、ベース部１０１を第１のベースフレーム１１に代わる対向的に配置してある取付け台板１１１を備え、両取付け台板に後方に張り出した第２のベースフレーム１２に相当するアーチ状のベースフレーム１１２を連結部１１２ａを介して接続するものであっても良い。上記両取付け台板１１１には、ベースフレーム１１２及び図示していない各サポートフレームの端部を支持する支持孔１１１ａを形成してある。
図９に示す例において、取付け台板１１１に対して、ベースフレーム１１２及び各サポートフレームを回転可能に支持すれば、図１に示す釣り用の餌カバーＣのようにカバー本体を折り畳むことができる。
釣り用の餌カバーＣは必ずしも折り畳み可能である必要はなく、図１に示す例では第１のベースフレーム１１の取付け部１１ａに各サポートフレーム２１の支持部を固定的に連結しても良い。図９に示す例では取付け台板１１１に各サポートフレームの支持部を固定的に連結しても良い。
サポートフレームは図１に示す例では４本で構成したが、少なく２本以上であれば良く、４本に限定されない。
位置保持フレーム６の数は図示する１本に限られず、複数本であっても良い。
【符号の説明】
【００１６】
Ｃ                    釣り用の餌カバー
１，１０１            ベース部
１１                  第１のベースフレーム
１１ａ                取付け部
１１１                取付け台板
１１１ａ              支持孔
１２                  第２のベースフレーム
１１２                ベースフレーム
２                    カバー本体
２１                  サポートフレーム
２１１                最前部サポートフレーム（サポートフレーム）
２１２，２１３        中間サポートフレーム（サポートフレーム）
２１４                最後部サポートフレーム（サポートフレーム）
２２                  カバーシート
２２ａ                前保持部
２２ｂ                後保持部
２２ｃ                取付け孔
３                    収納空間
４                    前側開口部
５                    後側開口部
６                    位置保持フレーム
６ａ，６ｂ            フック
７                    餌入れ容器
８                    側面開口部
９                    連結紐
【図１】
0003164365.tif 000003
【図２】
0003164365.tif 000004
【図３】
0003164365.tif 000005
【図４】
0003164365.tif 000006
【図５】
0003164365.tif 000007
【図６】
0003164365.tif 000008
【図７】
0003164365.tif 000009
【図８】
0003164365.tif 000010
【図９】
0003164365.tif 000011